(57)【要約】【課題】Ｖ相の巻線コイルにおけるコイルエンド部へのワニスの滴下含浸性を向上させることができるステータを有する３相モータを提供すること。【解決手段】３相モータは、Ｕ相、Ｖ相及びＷ相の３相の巻線コイル３Ｕ、Ｖ、Ｗを、ステータコア２のスロット２１Ｕ、Ｖ、Ｗに挿入配設してなるステータ１を有するものである。Ｕ相のコイルエンド部３２ＵとＶ相のコイルエンド部３２Ｖとの間には第１相間絶縁シート４Ａが配設され、Ｖ相のコイルエンド部３２ＶとＷ相のコイルエンド部３２Ｗとの間には第２相間絶縁シート４Ｂが配設されている。各相間絶縁シート４Ａ、Ｂは、各コイルエンド部３２をそれぞれ覆う一対の絶縁部４１と、一対の絶縁部４１同士を連結し、ステータコア２のスロット２１に挿入配設される連結部４２とを有している。各相間絶縁シート４Ａ、Ｂにおける各連結部４２は、Ｗ相用スロット２１Ｗに挿入配設されている。【選択図】図１
2006149103.tif 000002
【特許請求の範囲】
【請求項１】
Ｕ相、Ｖ相及びＷ相の３相の巻線コイルを、それぞれステータコアの内周面に設けたスロットに挿入配設してなるステータを有する３相モータにおいて、
上記各相の巻線コイルは、それぞれ電線を複数回巻回してなり、上記スロットに挿入配設される一対の挿入辺部と、該一対の挿入辺部同士を繋ぐ一対のコイルエンド部とからなり、
上記Ｕ相の巻線コイルにおける一対のコイルエンド部と、上記Ｖ相の巻線コイルにおける一対のコイルエンド部との間には、これらの絶縁を行うための第１相間絶縁シートが配設されており、上記Ｖ相の巻線コイルにおける一対のコイルエンド部と、上記Ｗ相の巻線コイルにおける一対のコイルエンド部との間には、これらの絶縁を行うための第２相間絶縁シートが配設されており、
上記第１相間絶縁シート及び上記第２相間絶縁シートは、上記各コイルエンド部をそれぞれ覆う一対の絶縁部と、該一対の絶縁部同士を連結し、上記スロットに挿入配設される連結部とを有しており、
上記第１相間絶縁シート及び上記第２相間絶縁シートにおける各連結部は、いずれも上記Ｗ相の巻線コイルにおける一対の挿入辺部が挿入配設されたスロットに挿入配設されていることを特徴とする３相モータ。
【請求項２】
請求項１において、上記Ｕ相の巻線コイルは、その一対の挿入辺部が上記スロットに挿入配設されていると共に、その一対のコイルエンド部が上記ステータコアの軸方向端部から突出配設されており、
上記Ｖ相の巻線コイルは、その一対の挿入辺部が、上記Ｕ相の巻線コイルに対して上記ステータコアの周方向一方側に向けて所定のスロット数オフセットして上記スロットに挿入配設されていると共に、その一対のコイルエンド部の一部が、上記Ｕ相の巻線コイルにおける一対のコイルエンド部の内周側に重なって配設されており、
上記Ｗ相の巻線コイルは、その一対の挿入辺部が、上記Ｖ相の巻線コイルに対して上記ステータコアの周方向一方側に向けて所定のスロット数オフセットして上記スロットに挿入配設されていると共に、その一対のコイルエンド部の一部が、上記Ｖ相の巻線コイルにおける一対のコイルエンド部の内周側に重なって配設されていることを特徴とする３相モータ。
【請求項３】
請求項１又は２において、上記ステータコアは、上記Ｕ相の巻線コイルにおける挿入辺部を挿入配設する２つのＵ相用スロットと、上記Ｖ相の巻線コイルにおける挿入辺部を挿入配設する２つのＶ相用スロットと、上記Ｗ相の巻線コイルにおける挿入辺部を挿入配設する２つのＷ相用スロットとを順次繰り返し形成してなり、
上記第１相間絶縁シート及び上記第２相間絶縁シートは、上記ステータコアの周方向に繰り返し複数配設されていることを特徴とする３相モータ。
【請求項４】
請求項３において、上記第１相間絶縁シート及び上記第２相間絶縁シートにおける各連結部は、上記一対の絶縁部同士を２箇所で連結するよう２つ形成されており、上記ステータコアの周方向一方側に位置する一方側連結部が、いずれかの上記２つのＷ相用スロットの一方に挿入配設され、上記ステータコアの周方向他方側に位置する他方側連結部が次に並ぶ上記２つのＷ相用スロットの一方に挿入配設されていることを特徴とする３相モータ。
【請求項５】
請求項３において、上記第１相間絶縁シート及び上記第２相間絶縁シートにおける各連結部は、上記一対の絶縁部同士を３箇所で連結するよう３つ形成されており、上記ステータコアの周方向一方側に位置する一方側連結部が、いずれかの上記２つのＷ相用スロットの一方に挿入配設され、上記周方向の中間に位置する中間連結部が、上記いずれかの２つのＷ相用スロットの次に並ぶ２つのＷ相用スロットの一方に挿入配設され、上記ステータコアの周方向他方側に位置する他方側連結部がさらに次に並ぶ２つのＷ相用スロットの一方に挿入配設されていることを特徴とする３相モータ。
【請求項６】
請求項４又は５において、上記第１相間絶縁シート及び上記第２相間絶縁シートにおける一方側連結部及び他方側連結部は、上記２つのＷ相用スロットのうち外方側のＷ相用スロットに挿入配設されており、互いに隣接して配設された上記第１相間絶縁シート及び上記第２相間絶縁シートにおける各絶縁部の周方向端部は、上記ステータコアの周方向に重なっていることを特徴とする３相モータ。
【請求項７】
請求項３〜６のいずれか一項において、上記２つのＵ相用スロットには、いずれかの上記Ｕ相の巻線コイルの周方向一方側に位置する上記挿入辺部であるＵ相一方側挿入辺部と、他の上記Ｕ相の巻線コイルの周方向他方側に位置する上記挿入辺部であるＵ相他方側挿入辺部とが挿入配設されており、
上記２つのＶ相用スロットには、いずれかの上記Ｖ相の巻線コイルの周方向一方側に位置する上記挿入辺部であるＶ相一方側挿入辺部と、他の上記Ｖ相の巻線コイルの周方向他方側に位置する上記挿入辺部であるＶ相他方側挿入辺部とが挿入配設されており、
上記第１相間絶縁シートにおける各絶縁部は、上記Ｕ相一方側挿入辺部及び上記Ｕ相他方側挿入辺部にそれぞれ繋がる上記各コイルエンド部が上記ステータコアの軸方向端部から立ち上がってなる立上り部を覆う凸形状部を有しており、
上記第２相間絶縁シートにおける各絶縁部は、上記Ｕ相一方側挿入辺部、上記Ｕ相他方側挿入辺部、上記Ｖ相一方側挿入辺部及び上記Ｖ相他方側挿入辺部にそれぞれ繋がる上記各コイルエンド部が上記ステータコアの軸方向端部から立ち上がってなる立上り部を覆う凸形状部を有していることを特徴とする３相モータ。
【発明の詳細な説明】
【技術分野】
【０００１】
本発明は、３相の巻線コイルを、それぞれステータコアの内周面に設けたスロットに挿入配設してなるステータを有する３相モータに関する。
【背景技術】
【０００２】
図１７〜図１９に示すごとく、３相モータに用いるステータ９としては、ステータコア２の内周面に形成した多数のスロット２１に、Ｕ相、Ｖ相及びＷ相の各相の巻線コイル９３を順次挿入配設して形成されたものがある。そして、各相の巻線コイル９３は、絶縁被覆したワイヤを束ねた電線を複数回巻回してなり、各相の巻線コイル９３を多数のスロット２１に分布させて挿入配設した分布巻タイプのステータ９が知られている。
【０００３】
上記分布巻タイプのステータ９においては、Ｖ相の巻線コイル９３ＶはＵ相の巻線コイル９３Ｕに対して、Ｗ相の巻線コイル９３ＷはＶ相の巻線コイル９３Ｖに対して、所定のスロット数ずつ周方向にオフセットして、ステータコア２の各スロット２１に挿入配設される。また、各スロット２１に挿入配設されなかった各相の巻線コイル９３の残部は、上記ステータコア２の軸方向両端部２２からそれぞれ突出して、各相のコイルエンド部９３２を形成する。なお、図１８は、Ｗ相の巻線コイル９３Ｗを挿入配設する前の状態を示す。
【０００４】
また、各相のコイルエンド部９３２同士の絶縁を確実に行うために、Ｕ相のコイルエンド部９３２ＵとＶ相のコイルエンド部９３２Ｖとの間、及びＶ相のコイルエンド部９３２ＶとＷ相のコイルエンド部９３２Ｗとの間には、相間絶縁シート９４を配設している。
そして、例えば、特許文献１に開示されるように、相間絶縁シート９４（モータ相間絶縁用相間紙）を、各コイルエンド部９３２をそれぞれ覆う一対の絶縁部９４１（平面部）と、この一対の絶縁部９４１同士を連結し、上記スロット２１に挿入配設される複数の連結部９４２（脚部）とから形成する。そして、各連結部９４２を、スロット２１に挿入配設して相間絶縁シート９４を配設することにより、相間絶縁シート９４がステータコア２の軸方向及び周方向へ位置ずれを行うことを防止することができる。
【０００５】
そして、Ｕ相のコイルエンド部９３２ＵとＶ相のコイルエンド部９３２Ｖとの間の絶縁を行う第１相間絶縁シート９４Ａの連結部９４２は、Ｖ相の巻線コイル９３Ｖを挿入配設するＶ相用スロット２１Ｖに挿入配設し（図１７参照）、Ｖ相のコイルエンド部９３２ＶとＷ相のコイルエンド部９３２Ｗとの間の絶縁を行う第２相間絶縁シート９４Ｂの連結部９４２は、Ｗ相の巻線コイル９３Ｗを挿入配設するＷ相用スロット２１Ｗに挿入配設している（図１８参照）。
【０００６】
ところで、図１９に示すごとく、上記ステータ９においては、各相の巻線コイル９３の絶縁を確実にし、各相の巻線コイル９３の配設位置を固定するために、ステータコア２に挿入配設した各相の巻線コイル９３のコイルエンド部９３２にワニスを滴下して含浸させている。そして、Ｕ相のコイルエンド部９３２Ｕには、ステータコア２の外周側からワニスを滴下し、Ｖ相のコイルエンド部９３２Ｖ及びＷ相のコイルエンド部９３２Ｗには、ステータコア２の内周側からワニスを滴下している。
【０００７】
しかしながら、図１９に示すごとく、Ｖ相のコイルエンド部９３２Ｖは、Ｕ相のコイルエンド部９３２ＵとＷ相のコイルエンド部９３２Ｗとの間に挟まれている。そのため、このＶ相のコイルエンド部９３２Ｖに対しては、このＶ相のコイルエンド部９３２Ｖがステータコア２の軸方向端部２２から立ち上がってなる立上り部９３３にしかワニスを滴下することができない。それにも拘らず、上記従来のステータ９においては、Ｖ相のコイルエンド部９３２Ｖにおける立上り部９３３の外周側が、相間絶縁シート９４の連結部９４２によって覆われている。そのため、Ｖ相のコイルエンド部９３２Ｖには、内周側の一部からしかワニスを滴下することができず、その滴下含浸性を向上させることが困難になっていた。
【０００８】
【特許文献１】特開２００４−１６６４７６号公報
【発明の開示】
【発明が解決しようとする課題】
【０００９】
本発明は、かかる従来の問題点に鑑みてなされたもので、Ｖ相の巻線コイルにおけるコイルエンド部へのワニスの滴下含浸性を向上させることができるステータを有する３相モータを提供しようとするものである。
【課題を解決するための手段】
【００１０】
本発明は、Ｕ相、Ｖ相及びＷ相の３相の巻線コイルを、それぞれステータコアの内周面に設けたスロットに挿入配設してなるステータを有する３相モータにおいて、
上記各相の巻線コイルは、それぞれ電線を複数回巻回してなり、上記スロットに挿入配設される一対の挿入辺部と、該一対の挿入辺部同士を繋ぐ一対のコイルエンド部とからなり、
上記Ｕ相の巻線コイルにおける一対のコイルエンド部と、上記Ｖ相の巻線コイルにおける一対のコイルエンド部との間には、これらの絶縁を行うための第１相間絶縁シートが配設されており、上記Ｖ相の巻線コイルにおける一対のコイルエンド部と、上記Ｗ相の巻線コイルにおける一対のコイルエンド部との間には、これらの絶縁を行うための第２相間絶縁シートが配設されており、
上記第１相間絶縁シート及び上記第２相間絶縁シートは、上記各コイルエンド部をそれぞれ覆う一対の絶縁部と、該一対の絶縁部同士を連結し、上記スロットに挿入配設される連結部とを有しており、
上記第１相間絶縁シート及び上記第２相間絶縁シートにおける各連結部は、いずれも上記Ｗ相の巻線コイルにおける一対の挿入辺部が挿入配設されたスロットに挿入配設されていることを特徴とする３相モータにある（請求項１）。
【００１１】
本発明の３相モータにおけるステータは、相間絶縁シートの形状に工夫をし、相間絶縁シートの位置ずれを防止すると共に、ワニスの滴下含浸が行い難いＶ相の巻線コイルにおけるコイルエンド部へのワニスの滴下含浸性を改善したものである。
すなわち、本発明の第１相間絶縁シート及び第２相間絶縁シートは、各コイルエンド部をそれぞれ覆う一対の絶縁部と、この一対の絶縁部同士を連結し、ステータコアのスロットに挿入配設される連結部とを有している。
そして、各相間絶縁シートは、その各連結部をステータコアのスロットに挿入配設して、ステータコアに配設することにより、ステータコアの軸方向及び周方向への位置ずれが防止される。
【００１２】
また、本発明においては、第１相間絶縁シート及び第２相間絶縁シートのいずれの相間絶縁シートも、それらの各連結部は、いずれもＷ相の巻線コイルにおける一対の挿入辺部が挿入配設されたスロットに挿入配設している。そのため、各相の巻線コイルのコイルエンド部がステータコアの軸方向端部から立ち上がってなる立上り部においては、Ｗ相のコイルエンド部の立上り部が各相間絶縁シートの連結部によって覆われるものの、Ｖ相のコイルエンド部の立上り部は相間絶縁シートの連結部によって覆われることがない。
【００１３】
そして、ステータコアに挿入配設した各相の巻線コイルにワニスの滴下含浸を行う際に、Ｕ相のコイルエンド部には、ステータコアの外周側からワニスを滴下し、Ｖ相のコイルエンド部には、ステータコアの内周側及び外周側からワニスを滴下し、Ｗ相のコイルエンド部には、ステータコアの内周側からワニスを滴下することができる。この際に、Ｖ相のコイルエンド部には、上記ステータコアの外周側からも上記立上り部に直接ワニスの滴下を行うことができ、そのワニスの滴下含浸性を向上させることができる。また、Ｕ相及びＷ相のコイルエンド部に対しても、従来と同様に、直接ワニスを滴下して含浸させることができ、それらのワニスの滴下含浸性を維持することができる。
それ故、本発明の３相モータにおけるステータによれば、Ｖ相の巻線コイルにおけるコイルエンド部へのワニスの滴下含浸性を向上させることができる。
【発明を実施するための最良の形態】
【００１４】
上述した本発明における好ましい実施の形態につき説明する。
本発明においては、上記３相モータは、種々の用途に用いることができ、例えば、電気自動車又はハイブリッドカーにおけるモータジェネレータとして用いることができる。
また、上記各相間絶縁シートは、電気絶縁性を有する種々のシート状材料から構成することができる。例えば、各相間絶縁シートは、ポリアミド樹脂を原料とした耐熱シート２枚を接着剤にて接合した三層構造の複合シートとすることができる。
【００１５】
また、上記Ｕ相の巻線コイルは、その一対の挿入辺部が上記スロットに挿入配設されていると共に、その一対のコイルエンド部が上記ステータコアの軸方向端部から突出配設されており、上記Ｖ相の巻線コイルは、その一対の挿入辺部が、上記Ｕ相の巻線コイルに対して上記ステータコアの周方向一方側に向けて所定のスロット数オフセットして上記スロットに挿入配設されていると共に、その一対のコイルエンド部の一部が、上記Ｕ相の巻線コイルにおける一対のコイルエンド部の内周側に重なって配設されており、上記Ｗ相の巻線コイルは、その一対の挿入辺部が、上記Ｖ相の巻線コイルに対して上記ステータコアの周方向一方側に向けて所定のスロット数オフセットして上記スロットに挿入配設されていると共に、その一対のコイルエンド部の一部が、上記Ｖ相の巻線コイルにおける一対のコイルエンド部の内周側に重なって配設されていることが好ましい（請求項２）。
このように、上記３相モータのステータはＵ相、Ｖ相及びＷ相の巻線コイルを重ねて配設してなり、Ｖ相の巻線コイルにおけるコイルエンド部へのワニスの滴下含浸性を向上させることができる。
【００１６】
また、上記ステータコアは、上記Ｕ相の巻線コイルにおける挿入辺部を挿入配設する２つのＵ相用スロットと、上記Ｖ相の巻線コイルにおける挿入辺部を挿入配設する２つのＶ相用スロットと、上記Ｗ相の巻線コイルにおける挿入辺部を挿入配設する２つのＷ相用スロットとを順次繰り返し形成してなり、上記第１相間絶縁シート及び上記第２相間絶縁シートは、上記ステータコアの周方向に繰り返し複数配設されていることが好ましい（請求項３）。
この場合には、複数の第１相間絶縁シート及び第２相間絶縁シートを用いて、ステータコアに挿入配設した複数の３相の巻線コイルの絶縁を行うことができる。
【００１７】
また、上記第１相間絶縁シート及び上記第２相間絶縁シートにおける各連結部は、上記一対の絶縁部同士を２箇所で連結するよう２つ形成されており、上記ステータコアの周方向一方側に位置する一方側連結部が、いずれかの上記２つのＷ相用スロットの一方に挿入配設され、上記ステータコアの周方向他方側に位置する他方側連結部が次に並ぶ上記２つのＷ相用スロットの一方に挿入配設されていることが好ましい（請求項４）。
【００１８】
この場合には、第１相間絶縁シート及び第２相間絶縁シートにおける各絶縁部は、２つのＵ相用スロット及び２つのＶ相用スロットの上に配置され、これらのスロットの両側に隣接するＷ相用スロットの上に配置される。これにより、簡単な形状の各相間絶縁シートにより、各相のコイルエンド部の絶縁を行うことができる。
【００１９】
また、上記第１相間絶縁シート及び上記第２相間絶縁シートにおける各連結部は、上記一対の絶縁部同士を３箇所で連結するよう３つ形成されており、上記ステータコアの周方向一方側に位置する一方側連結部が、いずれかの上記２つのＷ相用スロットの一方に挿入配設され、上記周方向の中間に位置する中間連結部が、上記いずれかの２つのＷ相用スロットの次に並ぶ２つのＷ相用スロットの一方に挿入配設され、上記ステータコアの周方向他方側に位置する他方側連結部がさらに次に並ぶ２つのＷ相用スロットの一方に挿入配設されていることもできる（請求項５）。
【００２０】
この場合には、第１相間絶縁シート及び第２相間絶縁シートにおける各絶縁部は、２つのＵ相用スロット、２つのＶ相用スロット、２つのＷ相用スロット、２つのＵ相用スロット及び２つのＶ相用スロットの上に配置され、これらのスロットの両側に隣接するＷ相用スロットの上に配置される。これによっても、簡単な形状の各相間絶縁シートにより、各相のコイルエンド部の絶縁を行うことができる。
【００２１】
また、上記第１相間絶縁シート及び上記第２相間絶縁シートにおける一方側連結部及び他方側連結部は、上記２つのＷ相用スロットのうち外方側のＷ相用スロットに挿入配設されており、互いに隣接して配設された上記第１相間絶縁シート及び上記第２相間絶縁シートにおける各絶縁部の周方向端部は、上記ステータコアの周方向に重なっていることが好ましい（請求項６）。
この場合には、各相間絶縁シートにおける各絶縁部の周方向端部同士がステータコアの周方向に重なっていることにより、各相のコイルエンド部の絶縁を一層確実に行うことができる。
【００２２】
また、上記２つのＵ相用スロットには、いずれかの上記Ｕ相の巻線コイルの周方向一方側に位置する上記挿入辺部であるＵ相一方側挿入辺部と、他の上記Ｕ相の巻線コイルの周方向他方側に位置する上記挿入辺部であるＵ相他方側挿入辺部とが挿入配設されており、上記２つのＶ相用スロットには、いずれかの上記Ｖ相の巻線コイルの周方向一方側に位置する上記挿入辺部であるＶ相一方側挿入辺部と、他の上記Ｖ相の巻線コイルの周方向他方側に位置する上記挿入辺部であるＶ相他方側挿入辺部とが挿入配設されており、上記第１相間絶縁シートにおける各絶縁部は、上記Ｕ相一方側挿入辺部及び上記Ｕ相他方側挿入辺部にそれぞれ繋がる上記各コイルエンド部が上記ステータコアの軸方向端部から立ち上がってなる立上り部を覆う凸形状部を有しており、上記第２相間絶縁シートにおける各絶縁部は、上記Ｕ相一方側挿入辺部、上記Ｕ相他方側挿入辺部、上記Ｖ相一方側挿入辺部及び上記Ｖ相他方側挿入辺部にそれぞれ繋がる上記各コイルエンド部が上記ステータコアの軸方向端部から立ち上がってなる立上り部を覆う凸形状部を有していることが好ましい（請求項７）。
この場合には、第１相間絶縁シートにおける各絶縁部及び第２相間絶縁シートにおける各絶縁部にそれぞれ上記凸形状部を形成することにより、各相間絶縁シートが位置ずれを行ってしまうことを一層確実に防止することができる。
【実施例】
【００２３】
以下に、本発明の３相モータにかかる実施例につき、図面と共に説明する。
（実施例１）
本例の３相モータは、図１、図１０に示すごとく、Ｕ相、Ｖ相及びＷ相の３相の巻線コイル３を、それぞれステータコア２の内周面に設けたスロット２１に挿入配設してなるステータ１を有するものである。
上記各相の巻線コイル３は、図２に示すごとく、それぞれ電線３０１を複数回巻回してなり、上記スロット２１に挿入配設される一対の挿入辺部３１と、この一対の挿入辺部３１同士を繋ぐ一対のコイルエンド部３２とからなる。
【００２４】
また、図１、図１０に示すごとく、Ｕ相の巻線コイル３Ｕは、その一対の挿入辺部３１が上記スロット２１に挿入配設されていると共に、その一対のコイルエンド部３２が上記ステータコア２の軸方向端部２２から突出配設されている。また、Ｖ相の巻線コイル３Ｖは、その一対の挿入辺部３１が、Ｕ相の巻線コイル３Ｕに対してステータコア２の周方向一方側Ｃ１に向けて所定のスロット数オフセットしてスロット２１に挿入配設されていると共に、その一対のコイルエンド部３２の一部が、Ｕ相の巻線コイル３Ｕにおける一対のコイルエンド部３２の内周側に重なって配設されている。また、Ｗ相の巻線コイル３Ｗは、その一対の挿入辺部３１が、Ｖ相の巻線コイル３Ｖに対してステータコア２の周方向一方側Ｃ１に向けて所定のスロット数オフセットしてスロット２１に挿入配設されていると共に、その一対のコイルエンド部３２の一部が、Ｖ相の巻線コイル３Ｖにおける一対のコイルエンド部３２の内周側に重なって配設されている。
【００２５】
また、図１、図３〜図５、図１０に示すごとく、Ｕ相の巻線コイル３Ｕにおける一対のコイルエンド部３２と、Ｖ相の巻線コイル３Ｖにおける一対のコイルエンド部３２との間には、これらの絶縁を行うための第１相間絶縁シート４Ａが配設されている。また、Ｖ相の巻線コイル３Ｖにおける一対のコイルエンド部３２と、Ｗ相の巻線コイル３Ｗにおける一対のコイルエンド部３２との間には、これらの絶縁を行うための第２相間絶縁シート４Ｂが配設されている。
【００２６】
また、図１、図６、図７に示すごとく、第１相間絶縁シート４Ａ及び第２相間絶縁シート４Ｂは、各コイルエンド部３２をそれぞれ覆う一対の絶縁部４１と、この一対の絶縁部４１同士を連結し、ステータコア２のスロット２１に挿入配設される連結部４２とを有している。そして、図１、図１０に示すごとく、第１相間絶縁シート４Ａ及び第２相間絶縁シート４Ｂにおける各連結部４２は、いずれもＷ相の巻線コイル３Ｗにおける一対の挿入辺部３１が挿入配設されたスロット２１に挿入配設されている。
以下に、これを詳説する。
【００２７】
図２に示すごとく、本例の各相の巻線コイル３は、電線３０１を複数回巻回してなる単極コイルを構成する。また、各相の巻線コイル３は、所定数の単位で連結されて連極コイルを形成している。具体的には、本例の各相の巻線コイル３は４つが連結されて連極コイルを形成しており、ステータコア２には、２組の連極コイルを挿入配設している。また、本例の電線３０１は、絶縁被覆してなるワイヤを複数本束ねてなるものである。
【００２８】
図８〜図１０に示すごとく、本例のステータコア２は、Ｕ相の巻線コイル３Ｕにおける挿入辺部３１を挿入配設する２つのＵ相用スロット２１Ｕと、Ｖ相の巻線コイル３Ｖにおける挿入辺部３１を挿入配設する２つのＶ相用スロット２１Ｖと、Ｗ相の巻線コイル３Ｗにおける挿入辺部３１を挿入配設する２つのＷ相用スロット２１Ｗとを順次繰り返し形成してなる。
そして、各相の巻線コイル３における挿入辺部３１は、各スロット２１にステータコア２の周方向に向けて複数並んで挿入配設されている。また、第１相間絶縁シート４Ａ及び第２相間絶縁シート４Ｂは、ステータコア２の周方向に繰り返し複数配設されている。
【００２９】
また、図６、図７に示すごとく、本例の第１相間絶縁シート４Ａ及び第２相間絶縁シート４Ｂにおける各連結部４２は、一対の絶縁部４１同士を２箇所で連結するよう２つ形成されている。そして、図１、図１０に示すごとく、各連結部４２は、ステータコア２の周方向一方側Ｃ１に位置する一方側連結部４２ａが、いずれか２つのＷ相用スロット２１Ｗの一方に挿入配設されており、ステータコア２の周方向他方側Ｃ２に位置する他方側連結部４２ｂが次に並ぶ２つのＷ相用スロット２１Ｗの一方に挿入配設されている。これにより、第１相間絶縁シート４Ａ及び第２相間絶縁シート４Ｂにおける各絶縁部４１は、２つのＵ相用スロット２１Ｕ及び２つのＶ相用スロット２１Ｖの上に配置され、これらのスロット２１の両側に隣接するＷ相用スロット２１Ｗの上に配置される。
【００３０】
また、図１、図１０に示すごとく、第１相間絶縁シート４Ａ及び第２相間絶縁シート４Ｂにおける一方側連結部４２ａ及び他方側連結部４２ｂは、２つのＷ相用スロット２１Ｗのうち周方向外方側のＷ相用スロット２１Ｗに挿入配設されている。そして、互いに隣接して配設された第１相間絶縁シート４Ａ及び第２相間絶縁シート４Ｂにおける各絶縁部４１の周方向端部４１３は、ステータコア２の周方向に重なっている。これにより、ステータコア２の周方向に並ぶ相間絶縁シートの絶縁部４１同士の間に周方向に向けた隙間が形成されることがなく、各相のコイルエンド部３２の絶縁を確実に行うことができる。
なお、周方向外方側のＷ相用スロット２１Ｗとは、２つのＵ相用スロット２１Ｕ及びこれに隣接する２つのＶ相用スロット２１Ｖの両側に位置する各Ｗ相用スロット２１Ｗのうち、２つのＵ相用スロット２１Ｕ及び２つのＶ相用スロット２１Ｖよりも遠い側に位置するＷ相用スロット２１Ｗのことをいう。
【００３１】
また、図１に示すごとく、上記２つのＵ相用スロット２１Ｕには、いずれかのＵ相の巻線コイル３Ｕの周方向一方側Ｃ１に位置する挿入辺部３１であるＵ相一方側挿入辺部３１Ｕａと、他のＵ相の巻線コイル３Ｕの周方向他方側Ｃ２に位置する挿入辺部３１であるＵ相他方側挿入辺部３１Ｕｂとが挿入配設されている。また、上記２つのＶ相用スロット２１Ｖには、いずれかのＶ相の巻線コイル３Ｖの周方向一方側Ｃ１に位置する挿入辺部３１であるＶ相一方側挿入辺部３１Ｖａと、他のＶ相の巻線コイル３Ｖの周方向他方側Ｃ２に位置する挿入辺部３１であるＶ相他方側挿入辺部３１Ｖｂとが挿入配設されている。
【００３２】
そして、図３、図６に示すごとく、第１相間絶縁シート４Ａにおける各絶縁部４１は、Ｕ相一方側挿入辺部３１Ｕａ及びＵ相他方側挿入辺部３１Ｕｂにそれぞれ繋がる各コイルエンド部３２がステータコア２の軸方向端部２２から立ち上がってなる立上り部３２１を覆う凸形状部４１２を有している。
また、図４、図７に示すごとく、第２相間絶縁シート４Ｂにおける各絶縁部４１は、Ｕ相一方側挿入辺部３１Ｕａ、Ｕ相他方側挿入辺部３１Ｕｂ、Ｖ相一方側挿入辺部３１Ｖａ及びＶ相他方側挿入辺部３１Ｖｂにそれぞれ繋がる上記各コイルエンド部３２がステータコア２の軸方向端部２２から立ち上がってなる立上り部３２１を覆う凸形状部４１２を有している。
【００３３】
これらの凸形状部４１２の形成により、各相間絶縁シート４が位置ずれを行ってしまうことを一層確実に防止することができる。
また、図６、図７に示すごとく、各相間絶縁シート４における各絶縁部４１における凸形状部４１２以外の部分には、平面形状を有する平面形状部４１１が形成されており、凸形状部４１２は、平面形状部４１１よりステータコア２の内周側に向けて突出してなる。
【００３４】
また、各相間絶縁シート４は、その各連結部４２をステータコア２のスロット２１に挿入配設して、ステータコア２に配設することにより、ステータコア２の軸方向及び周方向への位置ずれが防止される。
また、図３〜図５に示すごとく、ステータコア２の各スロット２１には、各相の巻線コイル３との間の絶縁性を確保するためのスロット用絶縁シート４５が挿入配設してある。
【００３５】
次に、上記ステータコア２に３相の巻線コイル３を挿入配設する方法につき説明する。
ステータコア２に３相の巻線コイル３を挿入配設するに当たっては、まず、図８に示すごとく、ステータコア２のＵ相用スロット２１Ｕに、Ｕ相の巻線コイル３Ｕにおける一対の挿入辺部３１を挿入配設すると共に、ステータコア２の各軸方向端部２２からＵ相の巻線コイル３Ｕにおける一対のコイルエンド部３２を突出させる。そして、Ｖ相及びＷ相の巻線コイル３Ｖ、Ｗをステータコア２に挿入配設するために、ステータコア２に挿入配設したＵ相の巻線コイル３Ｕにおける一対のコイルエンド部３２を、ステータコア２の外周側に向けて変形移動させる（図３参照）。
【００３６】
次いで、図８に示すごとく、ステータコア２のＷ相用スロット２１Ｗに、第１相間絶縁シート４Ａにおける２つの連結部４２を挿入配設すると共に、第１相間絶縁シート４Ａにおける一対の絶縁部４１を、Ｕ相のコイルエンド部３２Ｕの内周側に重ねて配設する。そして、第１相間絶縁シート４Ａの絶縁部４１は、Ｕ相のコイルエンド部３２Ｕの内周側面の全体を覆うことができる。
【００３７】
また、第１相間絶縁シート４Ａの連結部４２における凸形状部４１２は、ステータコア２の周方向一方側Ｃ１に位置するＵ相一方側挿入辺部３１Ｕａに繋がるコイルエンド部３２の立上り部３２１と、ステータコア２の周方向他方側Ｃ２に位置するＵ相他方側挿入辺部３１Ｕｂに繋がるコイルエンド部３２の立上り部３２１とに覆い被さり、残りの平面形状部４１１は、一対のコイルエンド部３２の内周側面に対向配置される（図３、図６参照）。
【００３８】
また、図８に示すごとく、第１相間絶縁シート４Ａは、ステータコア２の周方向に向けて複数配設され、各第１相間絶縁シート４Ａにおける一方側連結部４２ａ及び他方側連結部４２ｂは、２つのＷ相用スロット２１Ｗのうち外方側のＷ相用スロット２１Ｗに挿入配設される。そして、互いに隣接して配設された第１相間絶縁シート４Ａにおける各絶縁部４１の周方向端部４１３は、ステータコア２の周方向に重なる。
【００３９】
次いで、図９に示すごとく、ステータコア２のＶ相用スロット２１Ｖに、Ｖ相の巻線コイル３Ｖにおける一対の挿入辺部３１を挿入配設すると共に、ステータコア２の各軸方向端部２２からＶ相の巻線コイル３Ｖにおける一対のコイルエンド部３２を突出させる。そして、Ｗ相の巻線コイル３Ｗをステータコア２に挿入配設するために、ステータコア２に挿入配設したＶ相の巻線コイル３Ｖにおける一対のコイルエンド部３２を、ステータコア２の外周側に向けて変形移動させる（図４参照）。
【００４０】
次いで、図９に示すごとく、ステータコア２のＷ相用スロット２１Ｗに、第２相間絶縁シート４Ｂにおける２つの連結部４２を挿入配設すると共に、第２相間絶縁シート４Ｂにおける一対の絶縁部４１を、Ｖ相のコイルエンド部３２Ｖの内周側に重ねて配設する。そして、第２相間絶縁シート４Ｂの絶縁部４１は、Ｖ相のコイルエンド部３２Ｖの内周側面の全体を覆うことができる。
【００４１】
また、第２相間絶縁シート４Ｂの連結部４２における凸形状部４１２は、ステータコア２の周方向一方側Ｃ１に位置するＵ相一方側挿入辺部３１Ｕａに繋がるコイルエンド部３２の立上り部３２１及びＶ相一方側挿入辺部３１Ｖａに繋がるコイルエンド部３２の立上り部３２１と、ステータコア２の周方向他方側Ｃ２に位置するＵ相他方側挿入辺部３１Ｕｂに繋がるコイルエンド部３２の立上り部３２１及びＶ相他方側挿入辺部３１Ｖｂに繋がるコイルエンド部３２の立上り部３２１とに覆い被さり、残りの平面形状部４１１は、一対のコイルエンド部３２の内周側面に対向配置される（図４、図７参照）。
【００４２】
また、図９に示すごとく、第２相間絶縁シート４Ｂは、ステータコア２の周方向に向けて複数配設され、各第２相間絶縁シート４Ｂにおける一方側連結部４２ａ及び他方側連結部４２ｂは、上記第１相間絶縁シート４Ａにおける一方側連結部４２ａ及び他方側連結部４２ｂが挿入配設されたのと同じ２つのＷ相用スロット２１Ｗのうち外方側のＷ相用スロット２１Ｗに挿入配設される。そして、互いに隣接して配設された第２相間絶縁シート４Ｂにおける各絶縁部４１の周方向端部４１３は、ステータコア２の周方向に重なる。
【００４３】
次いで、図１０に示すごとく、ステータコア２のＷ相用スロット２１Ｗに、Ｗ相の巻線コイル３Ｗにおける一対の挿入辺部３１を挿入配設すると共に、ステータコア２の各軸方向端部２２からＷ相の巻線コイル３Ｗにおける一対のコイルエンド部３２を突出させる。
こうして、ステータコア２に３相の巻線コイル３を挿入配設することができ、各巻線コイル３同士を各相間絶縁シート４によって絶縁することができる。
【００４４】
次に、上記ステータコア２に挿入配設した３相の巻線コイル３にワニスを滴下含浸させる方法、及び上記３相モータによる優れた作用効果につき説明する。
上記ワニスの滴下含浸を行うに当たっては、まず、図１１に示すごとく、３相の巻線コイル３を挿入配置したステータコア２を、水平方向に形成した回転軸を中心にステータコア２を回転させることができる回転装置（図示略）に取り付ける。
【００４５】
そして、ステータコア２におけるＵ相の巻線コイル３Ｕのコイルエンド部３２には、Ｕ相用ノズル５Ｕによりステータコア２の外周側からワニスを滴下する。また、ステータコア２におけるＶ相の巻線コイル３Ｖのコイルエンド部３２には、Ｖ相用ノズル５Ｖによりステータコア２の内周側及び外周側からワニスを滴下する。また、また、ステータコア２におけるＷ相の巻線コイル３Ｗのコイルエンド部３２には、Ｗ相用ノズル５Ｗによりステータコア２の内周側からワニスを滴下する。
【００４６】
このとき、各相の巻線コイル３のコイルエンド部３２がステータコア２の軸方向端部２２から立ち上がってなる立上り部３２１においては、図５に示すごとく、Ｗ相のコイルエンド部３２Ｗの立上り部３２１がその外周側から第１相間絶縁シート４Ａ及び第２相間絶縁シート４Ｂの連結部４２によって覆われているものの、図４に示すごとく、Ｖ相のコイルエンド部３２Ｖの立上り部３２１はその外周側から第１相間絶縁シート４Ａの連結部４２によって覆われていない。
【００４７】
そのため、図１１、図１２に示すごとく、Ｖ相のコイルエンド部３２Ｖに対するワニスの滴下は、Ｖ相のコイルエンド部３２Ｖの立上り部３２１における内周側及び外周側のいずれからも直接行うことができる。そのため、Ｖ相のコイルエンド部３２Ｖに対しても確実にワニスを滴下させることができ、Ｖ相の巻線コイル３Ｖに対するワニスの滴下含浸性を向上させることができる。
また、Ｕ相及びＷ相のコイルエンド部３２Ｕ、Ｗに対しても、従来と同様に、直接ワニスを滴下して含浸させることができ、それらのワニスの滴下含浸性を維持することができる。
【００４８】
それ故、本例のステータ１を有する３相モータによれば、Ｕ相及びＷ相の巻線コイル３Ｕ、Ｗにおけるコイルエンド部３２へのワニスの滴下含浸性を維持し、Ｖ相の巻線コイル３Ｖにおけるコイルエンド部３２へのワニスの滴下含浸性を向上させることができる。
【００４９】
（実施例２）
本例は、図１３、図１４に示すごとく、上記第１相間絶縁シート４Ａ及び第２相間絶縁シート４Ｂにおける各連結部４２を、一対の絶縁部４１同士を３箇所で連結するよう３つ形成した例である。
そして、図１５、図１６に示すごとく、本例の第１相間絶縁シート４Ａ及び第２相間絶縁シート４Ｂは、上記ステータコア２の周方向一方側Ｃ１に位置する一方側連結部４２ａが、いずれか２つのＷ相用スロット２１Ｗのうち周方向外方側のＷ相用スロット２１Ｗに挿入配設され、上記周方向の中間に位置する中間連結部４２ｃが、いずれかの２つのＷ相用スロット２１Ｗの次に並ぶ２つのＷ相用スロット２１Ｗの一方に挿入配設され、ステータコア２の周方向他方側Ｃ２に位置する他方側連結部４２ｂがさらに次に並ぶ２つのＷ相用スロット２１Ｗのうち周方向外方側のＷ相用スロット２１Ｗに挿入配設されている。
【００５０】
これにより、第１相間絶縁シート４Ａ及び第２相間絶縁シート４Ｂにおける各絶縁部４１は、２つのＵ相用スロット２１Ｕ、２つのＶ相用スロット２１Ｖ、２つのＷ相用スロット２１Ｗ、２つのＵ相用スロット２１Ｕ及び２つのＶ相用スロット２１Ｖの上に配置され、これらのスロット２１の両側に隣接するＷ相用スロット２１Ｗの上に配置される。
本例においても、その他の構成は上記実施例１と同様であり、上記実施例１と同様の作用効果を得ることができる。
【図面の簡単な説明】
【００５１】
【図１】実施例１における、ステータを拡大して示す説明図。
【図２】実施例１における、ステータを模式的に示す説明図。
【図３】実施例１における、各相のコイルエンド部をＵ相用スロットで切断して示す断面説明図。
【図４】実施例１における、各相のコイルエンド部をＶ相用スロットで切断して示す断面説明図。
【図５】実施例１における、各相のコイルエンド部をＷ相用スロットで切断して示す断面説明図。
【図６】実施例１における、第１相間絶縁シートを示す平面図。
【図７】実施例１における、第２相間絶縁シートを示す平面図。
【図８】実施例１における、Ｕ相の巻線コイル及び第１相間絶縁シートをステータコアに配設した状態を示す説明図。
【図９】実施例１における、Ｖ相の巻線コイル及び第２相間絶縁シートをステータコアに配設した状態を示す説明図。
【図１０】実施例１における、Ｗ相の巻線コイルをステータコアに配設した状態を示す説明図。
【図１１】実施例１における、ステータにおける各相の巻線コイルにワニスの滴下含浸を行う状態を示す説明図。
【図１２】実施例１における、ステータにおけるＶ相の巻線コイルにワニスの滴下含浸を行う状態を示す説明図。
【図１３】実施例２における、第１相間絶縁シートを示す平面図。
【図１４】実施例２における、第２相間絶縁シートを示す平面図。
【図１５】実施例２における、Ｕ相の巻線コイル及び第１相間絶縁シートをステータコアに配設した状態を示す説明図。
【図１６】実施例２における、Ｖ相の巻線コイル及び第２相間絶縁シートをステータコアに配設した状態を示す説明図。
【図１７】従来例における、Ｕ相の巻線コイル及び第１相間絶縁シートをステータコアに配設した状態を示す説明図。
【図１８】従来例における、Ｖ相の巻線コイル及び第２相間絶縁シートをステータコアに配設した状態を示す説明図。
【図１９】従来例における、ステータにおけるＶ相の巻線コイルにワニスの滴下含浸を行う状態を示す説明図。
【符号の説明】
【００５２】
１  ステータ
２  ステータコア
２１Ｕ、Ｖ、Ｗ  スロット
２２  軸方向端部
３  巻線コイル
３１  挿入辺部
３２Ｕ、Ｖ、Ｗ  コイルエンド部
３２１  立上り部
４Ａ  第１相間絶縁シート
４Ｂ  第２相間絶縁シート
４１  絶縁部
４１２  凸形状部
４２  連結部
Ｃ１  周方向一方側
Ｃ２  周方向他方側
【図１】
2006149103.tif 000003
【図２】
2006149103.tif 000004
【図３】
2006149103.tif 000005
【図４】
2006149103.tif 000006
【図５】
2006149103.tif 000007
【図６】
2006149103.tif 000008
【図７】
2006149103.tif 000009
【図８】
2006149103.tif 000010
【図９】
2006149103.tif 000011
【図１０】
2006149103.tif 000012
【図１１】
2006149103.tif 000013
【図１２】
2006149103.tif 000014
【図１３】
2006149103.tif 000015
【図１４】
2006149103.tif 000016
【図１５】
2006149103.tif 000017
【図１６】
2006149103.tif 000018
【図１７】
2006149103.tif 000019
【図１８】
2006149103.tif 000020
【図１９】
2006149103.tif 000021